(57)【要約】      （修正有）【課題】  鉄筋コンクリート造又は鉄骨鉄筋コンクリート造の既存建物の耐震補強方法の技術分野に属し、更に詳しくは、建物を支持する杭等の地下躯体や柱、梁の上部躯体の補強が殆ど不要で、耐震効果と制震効果とを発揮させることができる耐震補強方法に関する。【解決手段】  既存建物の柱・梁架構又は柱・スラブ架構の面内に補強部材を嵌め入れて、同既存建物を耐震補強する方法であって、架構面内に補強部材として波形鋼板を、その筋を水平方向に向けて架構との間で水平力の伝達が可能に嵌め入れることを特徴とする、既存建物の耐震補強方法。【選択図】  図１
2006037628.tif 000002
【特許請求の範囲】
【請求項１】
既存建物の柱・梁架構又は柱・スラブ架構の面内に補強部材を嵌め入れて、同既存建物を耐震補強する方法であって、
架構面内に補強部材として波形鋼板を、その筋を水平方向に向けて架構との間で水平力の伝達が可能に嵌め入れることを特徴とする、既存建物の耐震補強方法。
【請求項２】
架構の内周全面にスタッドを取り付け、当該架構面内に、同じく外周全面にスタッドを取り付けたフレーム付き波形鋼板を、その筋を水平方向に向けて嵌め入れ、架構の内周面とフレーム付き波形鋼板のフレーム外周面との間に無収縮モルタル等を充填し架構との間で水平力の伝達が可能な構成とすることを特徴とする、請求項１に記載した既存建物の耐震補強方法。
【請求項３】
架構の内周上面と内周下面又は左右の内周側面にスタッドを取り付け、当該架構面内に、前記スタッドを取り付けた架構内周面と相対峙する外周面に同じくスタッドを取り付けたフレーム付き波形鋼板を、その筋を水平方向に向けて嵌め入れ、前記スタッドを取り付けた架構の内周面と、フレーム付き波形鋼板のスタッドを取り付けたフレーム外周面との間に無収縮モルタル等を充填し架構との間で水平力の伝達が可能な構成とすることを特徴とする、請求項１に記載した既存建物の耐震補強方法。
【請求項４】
架構の内周面に接着剤を塗布し、当該架構面内に同架構の内周と略等しい外周を有するフレーム付き波形鋼板を、その筋を水平方向に向けて嵌め入れ、フレーム付き波形鋼板のフレーム外周面を架構の内周面に接着し架構との間で水平力の伝達が可能な構成とすることを特徴とする、請求項１に記載した既存建物の耐震補強方法。
【請求項５】
架構面内に同架構の内周と同形、同大の外周形状を有するフレーム付き波形鋼板を、その筋を水平方向に向けて嵌め入れ架構との間で水平力の伝達が可能な構成とすることを特徴とする、請求項１に記載した既存建物の耐震補強方法。
【請求項６】
架構の内周全面にスタッドを取り付け、当該架構面内に、同じく外周四辺の縁部にスタッドを取り付けた波形鋼板を、その筋を水平方向に向けて嵌め入れ、架構の内周面と波形鋼板の外周縁との間に無収縮モルタル等を充填し架構との間で水平力の伝達が可能な構成とすることを特徴とする、請求項１に記載した既存建物の耐震補強方法。
【請求項７】
架構の内周上面と内周下面又は左右の内周側面にスタッドを取り付け、当該架構面内に、前記スタッドを取り付けた架構内周面と相対峙する外周二辺の縁部に同じくスタッドを取り付けた波形鋼板を、その筋を水平方向に向けて嵌め入れ、前記スタッドを取り付けた架構の内周面と、波形鋼板のスタッドを取り付けた外周縁との間に無収縮モルタル等を充填し架構との間で水平力の伝達が可能な構成とすることを特徴とする、請求項１に記載した既存建物の耐震補強方法。
【請求項８】
フレーム付き波形鋼板は、一枚の単位波形鋼板を大版とするか、又は複数枚の単位波形鋼板を接合用波形鋼板で接合して大版とし、その大版の波形鋼板の外周各辺、又は前記大版の波形鋼板を複数枚重ね合わせその外周各辺に、スタッドを取り付けた、又はスタッドのないプレートを接合してフレームを形成した構成としていることを特徴とする、請求項２〜５のいずれか一に記載した既存建物の耐震補強方法。
【請求項９】
フレーム付き波形鋼板は、一枚の単位波形鋼板の外周各辺、又は前記単位波形鋼板を複数枚重ね合わせその外周各辺に、スタッドを取り付けた、又はスタッドのないプレートを接合してフレームを形成し、そのフレーム付き単位波形鋼板を複数個接合して大版にユニット化した構成としていることを特徴とする、請求項２〜５のいずれか一に記載した既存建物の耐震補強方法。
【請求項１０】
スタッドを外周縁部に取り付けた波形鋼板は、一枚の単位波形鋼板を大版とするか、又は複数枚の単位波形鋼板を接合用波形鋼板で接合して大版とし、その大版の波形鋼板の外周各辺、又は外周上辺と外周下辺、又は左右の外周側辺にスタッドを取り付けた構成としていることを特徴とする、請求項６又は７に記載した既存建物の耐震補強方法。
【請求項１１】
単位波形鋼板の一部分又は全部を低降伏点鋼で構成していることを特徴とする、請求項８〜１０のいずれか一に記載した既存建物の耐震補強方法。
【請求項１２】
接合用波形鋼板は低降伏点鋼で構成していていることを特徴とする、請求項８又は１０に記載した既存建物の耐震補強方法。
【発明の詳細な説明】
【技術分野】
【０００１】
この発明は、鉄筋コンクリート造又は鉄骨鉄筋コンクリート造の既存建物の耐震補強方法の技術分野に属し、更に云うと、建物を支持する杭等の地下躯体や柱、梁の上部躯体の補強が殆ど不要で、耐震効果と制震効果とを発揮させることができる耐震補強方法に関する。
【背景技術】
【０００２】
従来の既存建物の耐震補強方法は、既存建物の柱と梁（又はスラブ）とで形成される架構面内に、補強部材として耐震壁を設置するのが一般的である。例えば、
【０００３】
（ｉ）特許文献１の耐震補強方法は、架構面内に人力で運搬可能な大きさにブロック化された鋼製ブロック部材（溝形鋼）を組み込んで耐震壁を設置し、既存建物を補強している。
【０００４】
（ii）特許文献２の耐震補強方法は、架構面内に極低降伏点鋼壁パネルと高張力鋼壁パネルとを交互に組み込んで耐震壁を設置し、既存建物を補強している。
【０００５】
（iii）特許文献３の耐震補強方法は、コンクリート壁にスリットを形成した後に、同コンクリート壁を予めスリットを形成した鋼板で挟み込み耐震壁とし、既存建物を補強している。
【０００６】
（iv）なお、特許文献４には、建物の架構面内に波形鋼板を遮災壁として設置する技術が開示されている。
【０００７】
【特許文献１】特開平１１−２９３９５０号公報
【特許文献２】特開平５−１６３７７２号公報
【特許文献３】特開平９−１５８４９０号公報
【特許文献４】特開２００３−１７６５８２号公報
【発明の開示】
【発明が解決しようとする課題】
【０００８】
上記特許文献１〜３の耐震補強方法は、十分な耐震性能を発揮させるために、耐震壁を剛強な溝形鋼や鋼板で構成している。そのため、耐震壁が重量物と成り、建物を支持する杭等の地下躯体や柱、梁の上部躯体の補強が必要である。つまり、補強作業が大掛かりで、工期が長期化するだけでなく、コストが嵩む問題点を有する。
【０００９】
また、溝形鋼や鋼板は軸力に対して大きな剛性、耐力を発揮するので、架構の柱が建物の長期荷重によって、又は鉄筋コンクリート造又は鉄骨鉄筋コンクリート造であるが故のコンクリートのクリープ、乾燥収縮に起源する軸力が地下躯体や上部躯体に伝達される。そのため、やはり地下躯体や上部躯体の補強が必要となり、補強作業が大掛かりで、工期が長期化するだけでなく、コストが嵩む問題点を有する。
【００１０】
ところで、波形鋼板の力学的特性について着目すると、次の特徴が認められる。なお、波形鋼板とは、単に折り板とか波板とも称されるもので、断面形状としては、図２１（Ａ）〜（Ｄ）に例示した台形波形状（Ａ）、矩形波形状（Ｂ）、三角波形状（Ｃ）、円弧波形状（Ｄ）などがある。
【００１１】
（せん断力に対して）
図１７に例示したように、波形鋼板は、折り板になっている一枚一枚がせん断力に対して抵抗し、その集合としての全体がせん断力に抵抗する。そして、せん断座屈長さが短く、そのせん断強度を平板と比較した場合、せん断耐力ははるかに大きい。
【００１２】
一方、図１８に例示するように、波形鋼板の筋と直角なせん断力に対してはアコーディオンの如く自由に伸びて抵抗しない。
【００１３】
（軸力及び曲げに対して）
波形鋼板の筋に直角な軸力に対しては、図１９に例示したようにアコーディオンの如く自由に伸び縮みして、平板に比較すると剛性、耐力ははるかに小さい。また、面内の曲げに対しても、図２０に例示したようにアコーディオンの如く自由に伸び縮みして、平板に比較すると剛性、耐力ははるかに小さい。
【００１４】
しかし、特許文献４の波形鋼板は遮災壁として採用されているので、同波形鋼板を降伏させて地震エネルギーを吸収させる技術的思想はなく、制震効果は期待できない。
【００１５】
そこで本発明の目的は、上記した力学的特性を有する波形鋼板を、既存建物の柱・梁架構又は柱・スラブ架構の面内に、補強部材として前記波形鋼板の筋を水平方向に向けて嵌め込むことで、既存建物を軽量に、しかも地下躯体や上部躯体に軸力を伝達しない構成で耐震補強することができ、それ故に前記地下躯体や上部躯体の補強を殆ど不要として、施工を容易にし、工期の短縮とコストの削減に寄与できる既存建物の耐震補強方法を提供することである。
【００１６】
本発明の次の目的は、波形鋼板を降伏させて制震効果を発揮させることができる、既存建物の耐震補強方法を提供することである。
【課題を解決するための手段】
【００１７】
上記従来技術の課題を解決するための手段として、請求項１に記載した発明に係る既存建物の耐震補強方法は、
既存建物の柱・梁架構又は柱・スラブ架構の面内に補強部材を嵌め入れて、同既存建物を耐震補強する方法であって、
架構面内に補強部材として波形鋼板を、その筋を水平方向に向けて架構との間で水平力の伝達が可能に嵌め入れることを特徴とする。
【００１８】
請求項２記載の発明は、請求項１に記載した既存建物の耐震補強方法において、
架構の内周全面にスタッドを取り付け、当該架構面内に、同じく外周全面にスタッドを取り付けたフレーム付き波形鋼板を、その筋を水平方向に向けて嵌め入れ、架構の内周面とフレーム付き波形鋼板のフレーム外周面との間に無収縮モルタル等を充填し架構との間で水平力の伝達が可能な構成とすることを特徴とする。
【００１９】
請求項３記載の発明は、請求項１に記載した既存建物の耐震補強方法において、
架構の内周上面と内周下面又は左右の内周側面にスタッドを取り付け、当該架構面内に、前記スタッドを取り付けた架構内周面と相対峙する外周面に同じくスタッドを取り付けたフレーム付き波形鋼板を、その筋を水平方向に向けて嵌め入れ、前記スタッドを取り付けた架構の内周面と、フレーム付き波形鋼板のスタッドを取り付けたフレーム外周面との間に無収縮モルタル等を充填し架構との間で水平力の伝達が可能な構成とすることを特徴とする。
【００２０】
請求項４記載の発明は、請求項１に記載した既存建物の耐震補強方法において、
架構の内周面に接着剤を塗布し、当該架構面内に同架構の内周と略等しい外周を有するフレーム付き波形鋼板を、その筋を水平方向に向けて嵌め入れ、フレーム付き波形鋼板のフレーム外周面を架構の内周面に接着し架構との間で水平力の伝達が可能な構成とすることを特徴とする。
【００２１】
請求項５記載の発明は、請求項１に記載した既存建物の耐震補強方法において、
架構面内に同架構の内周と同形、同大の外周形状を有するフレーム付き波形鋼板を、その筋を水平方向に向けて嵌め入れ架構との間で水平力の伝達が可能な構成とすることを特徴とする。
【００２２】
請求項６記載の発明は、請求項１に記載した既存建物の耐震補強方法において、
架構の内周全面にスタッドを取り付け、当該架構面内に、同じく外周四辺の縁部にスタッドを取り付けた波形鋼板を、その筋を水平方向に向けて嵌め入れ、架構の内周面と波形鋼板の外周縁との間に無収縮モルタル等を充填し架構との間で水平力の伝達が可能な構成とすることを特徴とする。
【００２３】
請求項７記載の発明は、請求項１に記載した既存建物の耐震補強方法において、
架構の内周上面と内周下面又は左右の内周側面にスタッドを取り付け、当該架構面内に、前記スタッドを取り付けた架構内周面と相対峙する外周二辺の縁部に同じくスタッドを取り付けた波形鋼板を、その筋を水平方向に向けて嵌め入れ、前記スタッドを取り付けた架構の内周面と、波形鋼板のスタッドを取り付けた外周縁との間に無収縮モルタル等を充填し架構との間で水平力の伝達が可能な構成とすることを特徴とする。
【００２４】
請求項８記載の発明は、請求項２〜５のいずれか一に記載した既存建物の耐震補強方法において、
フレーム付き波形鋼板は、一枚の単位波形鋼板を大版とするか、又は複数枚の単位波形鋼板を接合用波形鋼板で接合して大版とし、その大版の波形鋼板の外周各辺、又は前記大版の波形鋼板を複数枚重ね合わせその外周各辺に、スタッドを取り付けた、又はスタッドのないプレートを接合してフレームを形成した構成としていることを特徴とする。
【００２５】
請求項９記載の発明は、請求項２〜５のいずれか一に記載した既存建物の耐震補強方法において、
フレーム付き波形鋼板は、一枚の単位波形鋼板の外周各辺、又は前記単位波形鋼板を複数枚重ね合わせその外周各辺に、スタッドを取り付けた、又はスタッドのないプレートを接合してフレームを形成し、そのフレーム付き単位波形鋼板を複数個接合して大版にユニット化した構成としていることを特徴とする。
【００２６】
請求項１０記載の発明は、請求項６又は７に記載した既存建物の耐震補強方法において、
スタッドを外周縁部に取り付けた波形鋼板は、一枚の単位波形鋼板を大版とするか、又は複数枚の単位波形鋼板を接合用波形鋼板で接合して大版とし、その大版の波形鋼板の外周各辺、又は外周上辺と外周下辺、又は左右の外周側辺にスタッドを取り付けた構成としていることを特徴とする。
【００２７】
請求項１１記載の発明は、請求項８〜１０のいずれか一に記載した既存建物の耐震補強方法において、
単位波形鋼板の一部分又は全部を低降伏点鋼で構成していることを特徴とする。
【００２８】
請求項１２記載の発明は、請求項８又は１０に記載した既存建物の耐震補強方法において、
接合用波形鋼板は低降伏点鋼で構成していていることを特徴とする。
【発明の効果】
【００２９】
本発明に係る既存建物の耐震補強方法において、架構面内に補強部材として嵌め入れた波形鋼板は、折り板になっている一枚一枚がせん断力に抵抗し、その集合としての全体がせん断力に抵抗する性状なので、架構の剛性が高まり、地震による水平力に対して波形鋼板が抵抗し十分な耐震効果を発揮する。
【００３０】
つまり、波形鋼板は平板に比べて軽量でありながら、十分な耐震性能を発揮するので、既存建物を軽量な構成で耐震補強することができ、杭等の地下躯体や柱、梁の上部躯体への影響が少なく、殆ど補強する必要がない。そのため、耐震補強の施工が容易で、工期の短縮とコストの削減に寄与できる。
【００３１】
また、波形鋼板は軸力に対して、アコーディオンの如く自由に伸び縮みして抵抗しないので、鉄筋コンクリート造又は鉄骨鉄筋コンクリート造であるが故のコンクリートのクリープ、乾燥収縮に起源する軸力を地下躯体や上部躯体に伝達しない。そのため、やはり地下躯体や上部躯体を殆ど補強する必要がなく、耐震補強の施工が容易で、工期の短縮とコストの削減に寄与できる。
【００３２】
しかも、波形鋼板を降伏させて、地震エネルギーを吸収させることができるので、高い制震効果を発揮させることができる。
【発明を実施するための最良の形態】
【００３３】
既存建物の柱・梁架構又は柱・スラブ架構の面内に補強部材として波形鋼板を、その筋を水平方向に向けて架構との間で水平力の伝達が可能に嵌め入れる。
【実施例１】
【００３４】
請求項１、２及び請求項８並びに請求項１１に記載した発明に係る既存建物の耐震補強方法の実施例を、図１及び図２に基づいて説明する。
【００３５】
図１及び図２に示す実施例は、鉄筋コンクリート造又は鉄骨鉄筋コンクリート造の既存建物の柱１と梁２とで形成される架構３の面内に補強部材としてフレーム付き波形鋼板４を嵌め入れて補強している。
【００３６】
具体的には、先ず架構３の内周全面にスタッド５を取り付ける。
前記架構３の面内に嵌め入れるフレーム付き波形鋼板４は、低降伏点鋼から成る単位波形鋼板６を一枚の大版とし、その単位波形鋼板６の外周各辺に、スタッド７を取り付けたプレート８を接合してフレーム９を形成した構成としており、工場などで予め組み上げて現場サイトに搬入する（請求項８及び請求項１１記載の発明）。ちなみに、単位波形鋼板６の板厚の大きさ（通例９mm〜２２mm程度）、波形のピッチ（通例５００mm〜７００mm程度）及び波高の大きさ（通例８０mm〜１５０mm程度）は、所定のせん断耐力及び剛性を発現するように設計する。
【００３７】
架構３の面内に、上記構成のフレーム付き波形鋼板４を、その単位波形鋼板６の筋を水平方向に向けて嵌め入れ、架構３の内周面とフレーム付き波形鋼板４のフレーム外周面との間に無収縮モルタル１０を充填する。その結果、フレーム付き波形鋼板４の単位波形鋼板６と架構３との間で水平力の伝達が可能な構成となり、上述したように、単位波形鋼板６は折り板になっている一枚一枚がせん断力に抵抗し、その集合としての全体がせん断力に抵抗する性状なので（図１７を参照）、架構３の剛性が高まり、地震による水平力に対して単位波形鋼板６が抵抗し十分な耐震効果を発揮する。
【００３８】
つまり、フレーム付き波形鋼板４の単位波形鋼板６は平板に比べて軽量でありながら、十分な耐震性能を発揮するので、既存建物を軽量な構成で耐震補強することができ、杭等の地下躯体や柱１、梁２の上部躯体への影響が少なく、殆ど補強する必要がない。そのため、耐震補強の施工が容易で、工期の短縮とコストの削減に寄与できる。
【００３９】
また、フレーム付き波形鋼板４の単位波形鋼板６は軸力に対して、上述したようにアコーディオンの如く自由に伸び縮みして抵抗しないので、鉄筋コンクリート造又は鉄骨鉄筋コンクリート造であるが故のコンクリートのクリープ、乾燥収縮に起源する軸力を地下躯体や上部躯体に伝達しない（図１９を参照）。そのため、やはり地下躯体や上部躯体を殆ど補強する必要がなく、耐震補強の施工が容易で、工期の短縮とコストの削減に寄与できる。
【００４０】
しかも、フレーム付き波形鋼板４の単位波形鋼板６を降伏させて、地震エネルギーを吸収させることができるので、高い制震効果を発揮させることができる。
【実施例２】
【００４１】
図３に示す実施例は、フレーム９の上下の外周面にスタッド７を取り付けたフレーム付き波形鋼板１１を補強部材として架構３の面内に嵌め入れて補強している。
【００４２】
具体的には、架構３の内周上面と内周下面にスタッド５を取り付ける。
前記架構３の面内に嵌め入れるフレーム付き波形鋼板１１は、上記実施例１のフレーム付き波形鋼板４と略同様であるが、単位波形鋼板６の外周上辺と外周下辺にスタッド７を取り付けたプレート８を接合し、左右の外周側辺にスタッド７のないプレート１２を接合してフレーム９を形成した構成としている（請求項８記載の発明）。
【００４３】
架構３の面内に、上記構成のフレーム付き波形鋼板１１を、その単位波形鋼板６の筋を水平方向に向けて嵌め入れ、架構３の内周上面とフレーム付き波形鋼板１１のフレーム外周上面、及び架構３の内周下面とフレーム付き波形鋼板１１のフレーム外周下面との間に無収縮モルタル１０を充填し架構３との間で水平力の伝達が可能な構成とする（請求項３記載の発明）。
【００４４】
なお、前記フレーム付き波形鋼板１１はフレーム９の上下の外周面にスタッド７を取り付けた構成としているが、この構成に限らない。左右の外周側面にスタッド７を取り付けた構成とし、予め左右の内周側面にスタッド５を取り付けた架構３に嵌め入れ、架構３の内周側面とフレーム付き波形鋼板１１のフレーム外周側面との間に無収縮モルタル１０を充填し架構３との間で水平力の伝達が可能な構成としても良い。
【実施例３】
【００４５】
図４及び図５に示す実施例は、スタッド７のないフレーム付き波形鋼板１３を補強部材として架構３の面内に嵌め入れて補強している。
【００４６】
前記フレーム付き波形鋼板１３は単位波形鋼板６の外周各辺にスタッド７のないプレート１２を接合してフレーム９を形成した構成としており、架構３の内周と略等しい外周を有する。このフレーム付き波形鋼板１３を、予め内周面に接着剤１４を塗布した架構３の面内に、その単位波形鋼板６の筋を水平方向に向けて嵌め入れ、フレーム付き波形鋼板１３のフレーム外周面を架構３の内周面に接着し架構３との間で水平力の伝達が可能な構成とする（請求項４及び請求項８記載の発明）。
【実施例４】
【００４７】
図６及び図７に示す実施例は、架構３の内周と同形、同大の外周形状を有するフレーム付き波形鋼板１５を、その単位波形鋼板６の筋を水平方向に向けて架構３の面内に嵌め入れ架構３との間で水平力の伝達が可能な構成としている（請求項５記載の発明）。
【実施例５】
【００４８】
上記実施例１〜４のフレーム付き波形鋼板４、１１、１３、１５は一枚の単位波形鋼板６を大版とし、その外周にフレーム９を形成した構成としているが、この構成に限らない。すなわち、図８に例示するように、複数枚（図８では３枚）の単位波形鋼板６…を重ね合わせてその外周にフレーム９を形成した構成としても良い（請求項８記載の発明）。
【実施例６】
【００４９】
図９及び図１０に示す実施例は、スタッド７を外周縁部に取り付けた波形鋼板１６を架構３の面内に嵌め入れて補強しており、前記スタッド７を外周縁部に取り付けた波形鋼板１６は低降伏点鋼から成る一枚の単位波形鋼板６を大版とし、その外周四辺の縁部にスタッド７を取り付けた構成としている（請求項６及び請求項１０記載の発明）。
【００５０】
なお、施工手順は上記実施例１と略同様であるが、スタッド７を外周縁部に取り付けた波形鋼板１６の単位波形鋼板６の外周四辺に型枠（図示を省略）を設けて、前記型枠と架構３の内周面との間に無収縮モルタル１０を充填し架構３との間で水平力の伝達が可能な構成とする。
【実施例７】
【００５１】
図１１に示す実施例も、スタッド７を外周縁部に取り付けた波形鋼板１７を架構３の面内に嵌め入れて補強しているが、前記スタッド７を外周縁部に取り付けた波形鋼板１７は単位波形鋼板６の外周上辺及び外周下辺の縁部にスタッド７を取り付けた構成としている（請求項７及び請求項１０記載の発明）。
【００５２】
なお、施工手順は上記実施例２と略同様であるが、スタッド７を外周縁部に取り付けた波形鋼板１７の単位波形鋼板６の外周上辺及び外周下辺に型枠（図示を省略）を設けて、前記型枠と架構３の内周上面又は内周下面との間に無収縮モルタル１０を充填し架構３との間で水平力の伝達が可能な構成とする。
【００５３】
ちなみに、前記スタッド７を外周縁部に取り付けた波形鋼板１７は、単位波形鋼板６の外周上辺と外周下辺の縁部にスタッド７を取り付けているが、この構成に限らない。すなわち、単位波形鋼板６の左右の外周側辺の縁部にスタッド７を取り付けた構成としても良い。
【実施例８】
【００５４】
上記実施例１〜７の単位波形鋼板６は全部を低降伏点鋼で構成しているが、図１２に例示するように一部分（図中の斜線の部分）を低降伏点鋼１８で構成し、その他の部分を普通鋼で構成しても良く（請求項１１記載の発明）、又は全部を普通鋼で構成しても良い。
【実施例９】
【００５５】
図１３及び図１４の実施例は、上記実施例１と略同様にフレーム付き波形鋼板１９を架構３の面内に嵌め入れて補強しているが、前記フレーム付き波形鋼板１９は複数枚（図１３では９枚）の小版の単位波形鋼板２０を接合用波形鋼板２１で接合して大版とし、その大版の波形鋼板の外周各辺に、スタッド７を取り付けたプレート８を接合してフレーム９を形成した構成としている（請求項８記載の発明）。この場合、前記接合用波形鋼板２１を低降伏点鋼で構成すると、地震エネルギーを良好に吸収することができ、好都合である（請求項１２記載の発明）。
【００５６】
なお、前記フレーム付き波形鋼板１９は、外周全面にスタッド７を取り付けた構成としているが、上記実施例２と略同様に外周上面と外周下面、又は左右の外周側面にスタッド７を取り付けた構成としても良い。
【００５７】
また、前記フレーム付き波形鋼板１９は、大版の波形鋼板の外周にフレーム９を形成した構成としているが、この構成に限らない。すなわち、大版の波形鋼板を複数枚重ね合わせその外周にフレーム９を形成した構成としても良い。
【実施例１０】
【００５８】
図１５及び図１６の実施例も、上記実施例１と略同様にフレーム付き波形鋼板２２を架構３の面内に嵌め入れて補強しているが、前記フレーム付き波形鋼板２２は、外周全面にスタッド７を取り付けた構成となるように、小版の単位波形鋼板２０の外周各辺に、スタッド７を取り付けたプレート２３、又はスタッド７のないプレート２４を接合してフレーム２５を形成し、そのフレーム付き単位波形鋼板２６を複数個（図１５では９個）接合して大版にユニット化した構成としている（請求項９記載の発明）。
【００５９】
なお、前記フレーム付き波形鋼板２２は、外周全面にスタッド７を取り付けた構成としているが、上記実施例２と略同様に外周上面と外周下面、又は左右の外周側面にスタッド７を取り付けた構成としても良い。
【００６０】
また、前記フレーム付き波形鋼板２２は、一枚の単位波形鋼板２０の外周各辺にフレーム２５を形成した構成としているが、この構成に限らない。すなわち、単位波形鋼板２０を複数枚重ね合わせその外周にフレーム２５を形成した構成としても良い。
【実施例１１】
【００６１】
以上に本発明の実施例を説明したが、本発明はこうした実施例に何ら限定されるものではなく、本発明の要旨を逸脱しない範囲において、種々の形態で実施でき、要するに、架構面内に補強部材として波形鋼板を、その筋を水平に向けて架構との間で水平力の伝達が可能に嵌め入れれば良い（請求項１記載の発明）。
【図面の簡単な説明】
【００６２】
【図１】実施例１の既存建物の耐震補強方法を施工した架構を概念的に示した正面図である。
【図２】図１の縦断面図である。
【図３】実施例２の既存建物の耐震補強方法を施工した架構を概念的に示した正面図である。
【図４】実施例３の既存建物の耐震補強方法を施工した架構を概念的に示した正面図である。
【図５】図４の縦断面図である。
【図６】実施例４の既存建物の耐震補強方法を施工した架構を概念的に示した正面図である。
【図７】図６の縦断面図である。
【図８】異なるフレーム付き波形鋼板を例示した縦断面図である。
【図９】実施例６の既存建物の耐震補強方法を施工した架構を概念的に示した正面図である。
【図１０】図９の縦断面図である。
【図１１】実施例７の既存建物の耐震補強方法を施工した架構を概念的に示した正面図である。
【図１２】単位波形鋼板の一部を低降伏点鋼で構成したフレーム付き波形鋼板を示した正面図である。
【図１３】実施例９の既存建物の耐震補強方法を施工した架構を概念的に示した正面図である。
【図１４】図１３の縦断面図である。
【図１５】実施例１０の既存建物の耐震補強方法を施工した架構を概念的に示した正面図である。
【図１６】図１５の縦断面図である。
【図１７】波形鋼板の筋と平行な方向のせん断変形の状態を模式的に示した斜視図である。
【図１８】波形鋼板の筋と直角な方向のせん断変形の状態を模式的に示した側面図である。
【図１９】波形鋼板の軸圧縮の状態を示した説明図である。
【図２０】波形鋼板の曲げの状態を示した説明図である。
【図２１】Ａ〜Ｄは波形鋼板の異なる断面形状を示した説明図である。
【符号の説明】
【００６３】
１      柱
２      梁
３      架構
４      フレーム付き波形鋼板
５      スタッド
６      単位波形鋼板
７      スタッド
８      スタッドを取り付けたプレート
９      フレーム
１０    無収縮モルタル
１１    フレーム付き波形鋼板
１２    スタッドのないプレート
１３    フレーム付き波形鋼板
１４    接着剤
１５    フレーム付き波形鋼板
１６    スタッドを外周縁部に取り付けた波形鋼板
１７    スタッドを外周縁部に取り付けた波形鋼板
１８    低降伏点鋼
１９    フレーム付き波形鋼板
２０    単位波形鋼板
２１    接合用波形鋼板
２２    フレーム付き波形鋼板
２３    スタッドを取り付けたプレート
２４    スタッドのないプレート
２５    フレーム
２６    フレーム付き単位波形鋼板
【図１】
2006037628.tif 000003
【図２】
2006037628.tif 000004
【図３】
2006037628.tif 000005
【図４】
2006037628.tif 000006
【図５】
2006037628.tif 000007
【図６】
2006037628.tif 000008
【図７】
2006037628.tif 000009
【図８】
2006037628.tif 000010
【図９】
2006037628.tif 000011
【図１０】
2006037628.tif 000012
【図１１】
2006037628.tif 000013
【図１２】
2006037628.tif 000014
【図１３】
2006037628.tif 000015
【図１４】
2006037628.tif 000016
【図１５】
2006037628.tif 000017
【図１６】
2006037628.tif 000018
【図１７】
2006037628.tif 000019
【図１８】
2006037628.tif 000020
【図１９】
2006037628.tif 000021
【図２０】
2006037628.tif 000022
【図２１】
2006037628.tif 000023